(57)【要約】【課題】  単語辞書データ供給サービスによらず、一般データから新しい未登録単語を抽出して登録し、文字入力を容易にすることができる単語登録装置を提供する。【解決手段】  単語抽出手段２２は、番組表記録部１３に記録された電子番組表を構成するそれぞれの単語が、辞書部１４（内蔵辞書１５、あるいはユーザー辞書１６）にすでに登録されているか否かを、辞書制御手段２１を通じて照合し判断する。単語が未だ登録されていないと判断された場合は、一時記録手段２３に一時的に登録する。読み解析手段２４は、一時記録手段２３に記録された単語と、辞書制御手段２１を通じて内蔵辞書１５及びユーザー辞書１６を改めて照合し、単語の読み方を解析する。辞書制御手段２１は、記録すべき単語、その読み方、登録日時及び電子番組表への掲載回数１をユーザー辞書１９に記録する。【選択図】図１
2006338588.tif 000002
【特許請求の範囲】
【請求項１】
単語辞書データを含まない一般情報を受信する受信部と、
単語と、該単語に変換するための変換文字列とを関連づけて予め登録しておく辞書部と、
前記受信部から受信した情報から抽出した単語と前記辞書部に記録された単語とを比較して前記辞書部に未登録の単語を抽出する単語抽出手段と、
抽出した前記未登録単語と前記辞書部に登録されている単語とを照合して未登録単語に関連付ける変換文字列を解析する変換文字列解析手段と、
前記未登録単語と該未登録単語に関連付けられた変換文字列とを前記辞書部に登録する辞書制御手段と、
を備えたことを特徴とする単語登録装置。
【請求項２】
前記受信情報のジャンルを特定するジャンル特定部をさらに備え、
前記辞書制御手段は、抽出された未登録単語と特定されたジャンルとを関連付けて前記辞書部に登録することを特徴とする請求項１に記載の単語登録装置。
【請求項３】
前記受信情報から送信者に関する情報を抽出する送信者情報抽出部をさらに備え、
前記辞書制御手段は、抽出された未登録単語と送信者情報とを関連付けて登録することを特徴とする請求項１又は２に記載の単語登録装置。
【請求項４】
前記受信情報は、番組放送を利用して送信される電子番組表の情報であることを特徴とする請求項１、２又は３に記載の単語登録装置。
【請求項５】
前記受信情報は、番組放送を利用して送信されるデータ情報であることを特徴とする請求項１、２又は３に記載の単語登録装置。
【請求項６】
前記受信情報は、インターネットのＷＥＢサイトの情報であることを特徴とする請求項１、２又は３に記載の単語登録装置。
【請求項７】
前記受信情報は、電子メールの情報であることを特徴とする請求項１、２又は３に記載の単語登録装置。
【請求項８】
前記変換文字列は、変換すべき登録単語の読み方を示す文字列であることを特徴とする請求項１乃至７のいずれかに記載の単語登録装置。
【請求項９】
前記辞書制御手段は、前記未登録単語がかなの場合、前記変換文字列を該単語のかなのまま記録することを特徴とする請求項８に記載の単語登録装置。
【請求項１０】
前記変換文字列解析手段は、前記抽出された未登録単語が漢字あるいは漢字とかなの組み合わせの場合、前記辞書部に登録された単語から似た単語を参照して読み方の候補を解析することを特徴とする請求項８に記載の単語登録装置。
【請求項１１】
前記変換文字列解析手段は、前記抽出された未登録単語が英字の場合、前記辞書部に登録された単語から似た単語を参照して読み方の候補を解析し、アルファベット読み、ローマ字読みから候補を提示することを特徴とする請求項８に記載の単語登録装置。
【請求項１２】
使用者の判断で読み方を入力する入力手段を具備したことを特徴とする請求項８乃至請求項１１のいずれかに記載の単語登録装置。
【請求項１３】
前記辞書制御手段は、任意の期間において受信情報に掲示される回数を登録単語に関連させて前記辞書部に登録しておき、読み方が入力されたときに該読み方を前記辞書部で照合し、同じ読み方の単語が複数ある場合、任意の期間において受信情報に掲示される回数順に提示することを特徴とする請求項８乃至請求項１１のいずれかに記載の単語登録装置。
【請求項１４】
前記辞書制御手段は、任意の期間において利用される回数を登録単語に関連させて前記辞書部に登録しておき、読み方が入力されたときに該読み方を前記辞書部で照合し、同じ読み方の単語が複数ある場合、登録された利用回数順に提示することを特徴とする請求項８乃至請求項１１のいずれかに記載の単語登録装置。
【請求項１５】
前記辞書制御手段は、未登録単語が前記辞書部に登録された日時を登録単語に関連させて前記辞書部に登録しておき、読み方が入力されたときに該読み方を前記辞書部で照合し、同じ読み方の単語が複数ある場合、登録日時順に提示することを特徴とする請求項８乃至請求項１１のいずれかに記載の単語登録装置。
【請求項１６】
前記辞書制御手段は、登録単語の利用された日時を登録単語に関連させて前記辞書部に登録しておき、読み方が入力されたときに該読み方を前記辞書部で照合し、同じ読み方の単語が複数ある場合、利用日時順に提示することを特徴とする請求項８乃至請求項１１のいずれかに記載の単語登録装置。
【請求項１７】
前記辞書制御手段は、任意の期間における受信情報の掲示回数、任意の期間における利用回数、登録日時、利用日時を登録単語に関連させて前記辞書部に登録しておき、読み方が入力されたときに該読み方を前記辞書部で照合し、同じ読み方の単語が複数ある場合、登録されている、掲示回数の多少、任意の期間における利用回数の多少、登録日時の新旧、利用日時の新旧のうち、２つ以上を組み合せて提示の優先度を決めることを特徴とする請求項８乃至請求項１１のいずれかに記載の単語登録装置。
【請求項１８】
単語登録装置において、
前記辞書制御手段は、利用される回数を登録単語に関連させて前記辞書部に登録しておき、一定期間内で利用回数の少ないものから単語及びその関連データを削除することを特徴とする請求項８乃至請求項１１のいずれかに記載の単語登録装置。
【請求項１９】
前記辞書制御手段は、利用される回数を登録単語に関連させて前記辞書部に登録しておき、一定期間利用されないものから単語及びその関連データを削除することを特徴とする請求項８乃至請求項１１のいずれかに記載の単語登録装置。
【発明の詳細な説明】
【技術分野】
【０００１】
本発明は、ＴＶ放送のテレビ電子番組表、ＷＥＢサイト、電子メールなどの受信した情報において、文字入力のために利用する未登録単語を抽出して登録する単語登録装置に関する。
【背景技術】
【０００２】
近年、地上波放送や衛星放送において、デジタル放送の登場とともに、本格的な多チャンネル化の時代を迎えている。これとともに、放送電波を利用して、電子番組表を配信し、ユーザーが簡単に見たい番組を検索できるサービスが提供されている。また、インターネットにおいても、多量の情報の中から目的の情報を検索するサービスも展開されている。
【０００３】
このような検索サービスにおいては、キーワードを入力して、例えば番組や情報を検索して一覧表示させ、その中から目的のものを選択するようになっている。ここで、ユーザーが目的のキーワードを入力する場合、当然、テレビジョンやパソコンなどに内蔵された単語辞書からキーワードに該当する単語を探し出して表示させる。装置によっては、単語辞書の容量に限界があったり、辞書自体が古くなって最新の単語（例えば、流行語等）に対応できなくなっている場合もあり、ユーザーが使いたい単語が登録されていない場合がある。そこで、特許文献では次のような技術が開示されている。
【０００４】
特許文献１には、インターネットや放送により供給される単語データを受信して、辞書に追加する技術が記載されている。また、特許文献２には、未知語を電子番組ガイド情報などから検出し、辞書に登録する技術が記載されている。
【特許文献１】特開２００２−９９５３１号公報
【特許文献２】特開２００３−１４１１４６号公報
【発明の開示】
【発明が解決しようとする課題】
【０００５】
しかしながら、上述の特許文献１の技術では、インターネットや放送を利用した単語データの供給サービスが実施されることが前提であり、サービスがない場合は単語を登録することが困難であるという問題を有している。
【０００６】
また、特許文献２の技術では、未知語を検出して登録することは可能であるが、そもそも文字入力ではなく検出した単語をキーワードとして利用することを想定しているため、単語を変換するための入力文字列は登録されておらず、変換文字入力には利用できない。例えば、かな−漢字変換による文字入力形式では、漢字の読み方を示す「かな」文字を入力し、漢字に変換するのであるが、この「かな」が登録されていないため、漢字に変換することができない。なお、「かな」入力の場合は、アルファベットキーからローマ字入力を行って、それを「かな」変換する場合と、直接「かな」キーから「かな」を入力する場合がある。
【０００７】
近年では、かな−漢字変換などの文字入力を行う機器として、ワードプロセッサーやパーソナルコンピュータのほかに、画面や操作部の小さい携帯電話や携帯情報端末、あるいはキーボードなどの文字入力用の操作部を備えず、リモコンなどで代用するＨＤＤレコーダーなどのＡＶ機器が増えている。このような機器においては、「かな」文字入力操作が難しいという問題もある。
【０００８】
本発明は、このような状況に鑑みてなされたもので、単語辞書データ供給サービスによらず、一般データから新しい未登録単語を抽出して登録し、なおかつ、文字入力を容易にすることができる単語登録装置を提供するものである。
【課題を解決するための手段】
【０００９】
第１の発明は、単語辞書データを含まない一般情報を受信する受信部と、単語と、該単語に変換するための変換文字列とを関連づけて予め登録しておく辞書部と、前記受信部から受信した情報から抽出した単語と前記辞書部に記録された単語とを比較して前記辞書部に未登録の単語を抽出する単語抽出手段と、抽出した前記未登録単語と前記辞書部に登録されている単語とを照合して未登録単語に関連付ける変換文字列を解析する変換文字列解析手段と、前記未登録単語と該未登録単語に関連付けられた変換文字列とを前記辞書部に登録する辞書制御手段と、を備えたことを特徴とする単語登録装置である。
【００１０】
第２の発明は、第１の発明に記載の単語登録装置であって、前記受信情報のジャンルを特定するジャンル特定部をさらに備え、前記辞書制御手段は、抽出された未登録単語と特定されたジャンルとを関連付けて前記辞書部に登録することを特徴とする。
【００１１】
第３の発明は、第１又は第２の発明に記載の単語登録装置であって、前記受信情報から送信者に関する情報を抽出する送信者情報抽出部をさらに備え、前記辞書制御手段は、抽出された未登録単語と送信者情報とを関連付けて登録することを特徴とする。
【００１２】
第４の発明は、第１、第２又は第３の発明に記載の単語登録装置であって、前記受信情報は、番組放送を利用して送信される電子番組表の情報であることを特徴とする。番組放送とは、デジタル放送や有線のケーブルテレビ等によるテレビ番組やラジオ番組等の配信サービスをいう。
【００１３】
第５の発明は、第１、第２又は第３の発明に記載の単語登録装置であって、前記受信情報は、番組放送を利用して送信されるデータ情報であることを特徴とする。すなわち、このデータ情報とは、番組に関するデータ（ニュース内容や料理レシピの文字データ等）をいう。
【００１４】
第６の発明は、第１、第２又は第３の発明に記載の単語登録装置であって、前記受信情報は、インターネットのＷＥＢサイトの情報であることを特徴とする。
【００１５】
第７の発明は、第１、第２又は第３の発明に記載の単語登録装置であって、前記受信情報は、電子メールの情報であることを特徴とする。
【００１６】
第８の発明は、第１乃至第７の発明のいずれかに記載の単語登録装置であって、前記変換文字列は、変換すべき登録単語の読み方を示す文字列であることを特徴とする。
【００１７】
第９の発明は、第８の発明に記載の単語登録装置であって、前記辞書制御手段は、前記未登録単語がかなの場合、前記変換文字列を該単語のかなのまま記録することを特徴とする。
【００１８】
第１０の発明は、第８の発明に記載の単語登録装置であって、前記変換文字列解析手段は、前記抽出された未登録単語が漢字あるいは漢字とかなの組み合わせの場合、前記辞書部に登録された単語から似た単語を参照して読み方の候補を解析することを特徴とする。
【００１９】
第１１の発明は、第８の発明に記載の単語登録装置であって、前記変換文字列解析手段は、前記抽出された未登録単語が英字の場合、前記辞書部に登録された単語から似た単語を参照して読み方の候補を解析し、アルファベット読み、ローマ字読みから候補を提示することを特徴とする。
【００２０】
第１２の発明は、第８乃至第１１の発明のいずれかに記載の単語登録装置であって、使用者の判断で読み方を入力する入力手段を具備したことを特徴とする。
【００２１】
第１３の発明は、第８乃至第１１の発明のいずれかに記載の単語登録装置であって、前記辞書制御手段は、任意の期間において受信情報に掲示される回数を登録単語に関連させて前記辞書部に登録しておき、読み方が入力されたときに該読み方を前記辞書部で照合し、同じ読み方の単語が複数ある場合、任意の期間において受信情報に掲示される回数順に提示することを特徴とする。
【００２２】
第１４の発明は、第８乃至第１１の発明のいずれかに記載の単語登録装置であって、前記辞書制御手段は、任意の期間において利用される回数を登録単語に関連させて前記辞書部に登録しておき、読み方が入力されたときに該読み方を前記辞書部で照合し、同じ読み方の単語が複数ある場合、登録された利用回数順に提示することを特徴とする。
【００２３】
第１５の発明は、第８乃至第１１の発明のいずれかに記載の単語登録装置であって、前記辞書制御手段は、未登録単語が前記辞書部に登録された日時を登録単語に関連させて前記辞書部に登録しておき、読み方が入力されたときに該読み方を前記辞書部で照合し、同じ読み方の単語が複数ある場合、登録日時順に提示することを特徴とする。
【００２４】
第１６の発明は、第８乃至第１１の発明のいずれかに記載の単語登録装置であって、前記辞書制御手段は、登録単語の利用された日時を登録単語に関連させて前記辞書部に登録しておき、読み方が入力されたときに該読み方を前記辞書部で照合し、同じ読み方の単語が複数ある場合、利用日時順に提示することを特徴とする。
【００２５】
第１７の発明は、第８乃至第１１の発明のいずれかに記載の単語登録装置であって、前記辞書制御手段は、任意の期間における受信情報の掲示回数、任意の期間における利用回数、登録日時、利用日時を登録単語に関連させて前記辞書部に登録しておき、読み方が入力されたときに該読み方を前記辞書部で照合し、同じ読み方の単語が複数ある場合、登録されている、掲示回数の多少、任意の期間における利用回数の多少、登録日時の新旧、利用日時の新旧のうち、２つ以上を組み合せて提示の優先度を決めることを特徴とする。
【００２６】
第１８の発明は、第８乃至第１１の発明のいずれかに記載の単語登録装置であって、単語登録装置において、前記辞書制御手段は、利用される回数を登録単語に関連させて前記辞書部に登録しておき、一定期間内で利用回数の少ないものから単語及びその関連データを削除することを特徴とする。
【００２７】
第１９の発明は、第８乃至第１１の発明のいずれかに記載の単語登録装置であって、前記辞書制御手段は、利用される回数を登録単語に関連させて前記辞書部に登録しておき、一定期間利用されないものから単語及びその関連データを削除することを特徴とする。
【発明の効果】
【００２８】
本発明によれば単語辞書供給サービス等の特別なサービスがなくても、受信した情報の中から辞書に未登録の部分を抽出し、変換文字列と関連づけて登録するので、流行語や新しい単語、あるいはユーザー好みの未登録単語を、手間をかけずに記録することができる。
【００２９】
また、本発明は、文字入力の際に文字変換の精度を高めるために、文中の単語と変換候補の単語のジャンルを参照するので、変換文字列から単語候補が複数ある場合、そのジャンルで頻度の高い単語を優先的に変換することが可能となる。
【００３０】
また、電子メールを送信する際に、単語と関連付けて登録されている送信者情報を解析することによって、通信相手によって使用する単語を優先的に変換することが出来る。
【発明を実施するための最良の形態】
【００３１】
以下、本発明の実施の形態を添付図面を参照して説明する。
【００３２】
〈第１の実施形態〉
図１は、本発明による単語登録装置の第１の実施形態を示すブロック図である。この単語登録装置は、ＴＶ放送電波を受信するアンテナ１１、受信したＴＶ放送電波から目的の情報を抽出するチューナー１２、抽出した情報の中の電子番組表を記録する番組表記録部１３、単語辞書を記録している辞書部１４、表示部１８、ボタン、キーボード、マウス等の操作部１９、単語登録や文字入力における各部の制御を行う制御部２０から構成されている。この単語登録装置は、かな−漢字変換を前提としており、漢字の読み方を示す「かな」文字列を入力することにより、漢字に変換するものである。また、読み方を示す文字列は「かな」に限るものではなく、ローマ字（アルファベット）の文字列から「かな」や「カタカナ」への変換も可能である。また、変換対象である単語は、「漢字」、「かな」、「カタカナ」に限るものではなく、「アルファベット」、「数字」、「記号」等の場合もある。
【００３３】
辞書部１４は、予め登録されている単語が登録されている内蔵辞書１５と、ユーザーが新たに単語を登録できるユーザー辞書１６から構成されている。制御部２０は、辞書部１４の制御を行う辞書制御手段２１、電子番組表から単語を抽出する単語抽出手段２２、未登録単語を一時記録する一時記録手段２３、未登録単語の変換文字列である読み文字を解析する読み解析手段２４、表示部１８に表示させる制御を行う表示制御手段２５、操作部１９の入力操作に応じて各手段に操作指示を行う操作制御手段２６から構成されている。
【００３４】
次に図２に示すフローチャートを用いて、ＴＶ放送により送信される電子番組表を用いて単語を登録する方法を説明する。
【００３５】
ステップＳ１において、ＴＶ放送電波をアンテナ１１で受信し、チューナー１２において受信したＴＶ放送電波から電子番組表を抽出して、これを番組表記録部１３に記録する。ステップＳ２で、単語抽出手段２２は、番組表記録部１３に記録された電子番組表を構成するそれぞれの単語が、あらかじめ登録されている内蔵辞書１５、あるいは自動的もしくは任意の操作によって利用者が単語を登録したユーザー辞書１６にすでに登録されているか否かを、辞書制御手段２１を通じて照合し判断する。この照合は、利用者が操作部１９を操作して行ってもよいし、自動的に行ってもよい。
【００３６】
ステップＳ３で、ステップＳ２ですでにユーザー辞書１６に登録されていると判断された場合、単語抽出手段２２は、ユーザー辞書１４にすでに登録されている単語データの掲載回数を示す項目に１を加算する。図３はユーザー辞書に登録されている単語データのデータ構造を示す例である。ユーザー辞書１６に登録されている単語が電子番組表に掲載されるたびに、掲載回数の項目が１ずつ増えていくことになる。
【００３７】
一方、ステップＳ２で未だ登録されていないと判断された場合は、一時記録手段２３に一時的に登録する（ステップＳ４）。ステップＳ５で、読み解析手段２４は、一時記録手段２３に記録された単語と、辞書制御手段２１を通じて内蔵辞書１５及びユーザー辞書１６を改めて照合し、単語の読み方を解析する。そして、例えば単語がひらがなやカタカナの場合はその通りの読み方を表示制御手段２５を通じて表示部１８に表示する。また漢字あるいは漢字とかなの組み合わせで表記された単語の場合は、より短い単語の組み合わせや似た単語などの読み方から判断し、読み方の候補を表示制御手段２５を通じて表示部１８に表示する。あるいは英字で表記された単語の場合、ローマ字読み、アルファベット読み、似た単語などから読み方の候補を表示制御手段２５を通じて表示部１８に表示する。
【００３８】
ステップＳ６で、利用者は、表示部１８に表示された読み方が複数ある場合、操作部１９を操作し、操作制御手段２６を通じて、記録すべき読み方を選択する。ステップ５による解析で記録すべき読み方が表示されなかった場合や、利用者自らが別の読み方を記録しようとする場合は、操作部１９を操作し、操作制御手段２６を通じて、記録すべき読み方を入力する。
【００３９】
ステップＳ７で、辞書制御手段２１は、記録すべき単語、その読み方、登録日時及び電子番組表への掲載回数１をユーザー辞書１９に記録する。
いずれかのステップで利用者が単語の記録が不要と判断した場合、操作部１９を用いて、その時点で単語記録を中止することが出来る。
【００４０】
こうして、単語辞書供給サービス等の特別なサービスがなくても、受信した情報の中から辞書に未登録の部分を抽出し、変換文字列と関連づけて登録するので、流行語や新しい単語、あるいはユーザー好みの未登録単語を、手間をかけずに記録することができる。
【００４１】
ローマ字入力やＪＩＳ入力などによって単語の読み方をかな入力した場合、その読み方に合致する単語が複数ある場合も想定される。その場合、図３にあるようにそれぞれの単語の電子番組表への掲載回数を比較し、掲載回数の多いものから優先的に表示してもよい。あるいは利用回数を比較し、利用回数の多いものから優先的に表示してもよいし、登録日時もしくは利用日時の新しいものを優先的に表示してもよい。更にはこれらを組み合せて表示の優先順位を決めてもよい。
【００４２】
また、ユーザー辞書１９に記録された単語データは増える一方で、利用されない単語、利用回数の少ない単語も存在することが想定され、そのために単語登録装置の記憶容量が不足する可能性も否めない。この場合、利用回数を参照し、一定期間内での利用回数が少ない単語データから自動的にあるいは操作によって削除していくことにより、記憶容量を確保することができる。また、ユーザー辞書１９に記録される単語は新語・略語・タレントなどの人名など一時的に利用するものが多いと想定されるため、利用日時を参照し、一定期間利用されていないものを、自動的にあるいは操作によって削除してもよい。
【００４３】
更には、ＴＶ放送を通じて送信される電子番組表だけでなく、データ放送、ラジオ放送を通じて送信される電子番組表やデータ放送、インターネットのＷＥＢサイトのテキストデータや受信した電子メールの単語を利用して、単語を登録してもよい。
【００４４】
〈第２の実施形態〉
図４は、本発明による単語登録装置の第２の実施形態を示すブロック図である。この単語登録装置は、アンテナ３１、チューナー３２、番組表記録部３３、辞書部３４、表示部３８、操作部３９、制御部４０、ジャンル抽出部４７から構成されている。
【００４５】
辞書部３４は、内蔵辞書３５と、ユーザー辞書３６から構成されている。制御部４０は、辞書制御手段４１、単語抽出手段４２、一時記録手段４３、読み解析手段４４、表示制御手段４５、操作制御手段４６から構成されている。
【００４６】
この単語登録装置は、図１に示した第１の実施形態にジャンル抽出部４７を追加したものであり、ジャンル抽出部４７は、番組表からジャンル情報を抽出する機能を果たす。この情報を単語抽出手段４２に送り、抽出した未登録単語とジャンル情報を関連づける。
【００４７】
次に図５に示すフローチャートを用いて、ＴＶ放送により送信される電子番組表を用いて単語を登録する方法を説明する。
【００４８】
ステップＳ１１において、ＴＶ放送電波をアンテナ３１で受信し、チューナー３２において受信したＴＶ放送電波から電子番組表を抽出して、これを番組表記録部３３に記録する。ステップＳ１２で、単語抽出手段４２は、番組表記録部３３に記録された電子番組表を構成するそれぞれの単語が、あらかじめ端末に登録されている内蔵辞書３５、あるいは自動的もしくは任意の操作によって利用者が単語を登録したユーザー辞書３６にすでに登録されているか否かを、辞書制御手段４１を通じて照合し判断する。
【００４９】
ステップＳ１３で、ステップＳ１２ですでにユーザー辞書３６に登録されていると判断された場合、すでに登録されている単語データの掲載回数を示す項目に１を加算する。一方、未だ登録されていないと判断された場合は、上記抽出された単語が使われている番組のジャンル（ジャンル抽出部４７で抽出したジャンル）を関連付けて、一時記録手段４２に一時的に登録する（ステップＳ１４）。たとえば、ジャンル抽出部４７がジャンルを抽出する場合、デジタル放送における電子番組表ではジャンルの分類が決められており、これに基づいて単語が使われた番組のジャンルを決めてもよい。あるいは使用者もしくは製造者がジャンルを決め、番組タイトルなどからジャンルを解析するようにしてもよい。また、複数の番組で使われた場合は、都度ジャンル情報を加えていってもよい。
【００５０】
以下のステップＳ１５及びＳ１６は、図２の第１の実施形態のフローチャートにおけるステップＳ５及びＳ６と重複するので、説明を割愛する。
【００５１】
ステップＳ１７で、辞書制御手段４１は、記録すべき単語、そのジャンル、その読み方、登録日時及び電子番組表への掲載回数１をユーザー辞書３６に記録する。
【００５２】
このステップS１７に従った記録結果が図６である。文字入力の際に文字変換の精度を高めるために、文中の単語と変換候補の単語のジャンルを参照する。例えば、「じだん」と文字入力した場合「示談」という候補が提示されることがありうるが、その文中に「ベッカム」あるいは「Ｗ杯」の単語がある場合、「サッカー」というジャンルを参照することによって、「ジダン」という単語を優先的に変換することが可能となる。
【００５３】
〈第３の実施形態〉
図７は、本発明による単語登録装置の第３の実施形態を示すブロック図である。この単語登録装置は、インターネットやＬＡＮ等のネットワークを介して相手と通信する通信手段５１、通信手段５１から得た情報から電子メール情報を抽出するメーラー５２、単語辞書を記録している辞書部５４、表示部５８、ボタン、キーボード、マウス等の操作部５９、単語登録や文字入力における各部の制御を行う制御部６０、メーラーから送信者の情報を得る送信者情報部６７から構成されている。
【００５４】
辞書部５４は、予め登録されている単語が登録されている内蔵辞書５５と、ユーザーが新たに単語を登録できるユーザー辞書５６から構成されている。制御部６０は、辞書部５４の制御を行う辞書制御手段６１、電メールから単語を抽出する単語抽出手段６２、未登録単語を一時記録する一時記録手段６３、未登録単語の変換文字列である読み文字を解析する読み解析手段６４、表示部５８に表示させる制御を行う表示制御手段６５、操作部５９の入力操作に応じて各手段に操作指示を行う操作制御手段６６から構成されている。
【００５５】
次に図８に示すフローチャートを用いて、受信した電子メールを用いて単語を登録する方法を説明する。
【００５６】
ステップＳ２１において、通信手段７１により、電子メールを受信し、これをメーラー５２に記録する。ステップＳ２２で、単語抽出手段６２は、メーラー５２に記録された電子メールを構成するそれぞれの単語が、あらかじめ端末に登録されてある内蔵辞書５５、あるいは自動的もしくは任意の操作によって利用者が単語を登録したユーザー辞書５６にすでに登録されているか否かを、辞書制御手段６１を通じて照合し判断する。この照合は、利用者が操作部５９を操作して行ってもよいし、自動的に行ってもよい。
【００５７】
ステップＳ２３で、ステップＳ２２ですでにユーザー辞書５６に登録されていると判断された場合、単語抽出手段６２は、すでに登録されている単語データの掲載回数を示す項目に１を加算する。一方、単語抽出手段６２は、未だ登録されていないと判断された場合は、上記抽出された単語が記された電子メールの送信者情報（送信者情報部６７で得た情報）と関連付けて、一時記録手段６３に一時的に登録する（ステップＳ２４）。たとえば、送信者の電子メールアドレスや、電子メールのドメイン名などの一部分、あるいは機器本体にあるアドレス帳機能にある連番や氏名などを送信者情報として使用する。
【００５８】
以下のステップＳ２５及びＳ２６は、図２の第１の実施形態のフローチャートにおけるステップＳ５及びＳ６と重複するので、説明を割愛する。
【００５９】
ステップＳ２７で、辞書制御手段６１は、記録すべき単語、その送信者情報、その読み方、登録日時及び電子メールへの掲載回数１をユーザー辞書５６に記録する。
【００６０】
このように単語登録することによって、電子メールを送信する際に、単語と関連付けて登録されている送信者情報を解析することによって、通信相手によって受信者が使用する単語を優先的に変換することが出来る。例えば、同じメーラーをビジネス用とプライベート用で使用しているとき、相手によってビジネス上の専門用語や身内だけの流行言葉などを、優先的に変換することが出来る。
【図面の簡単な説明】
【００６１】
【図１】本発明による単語登録装置の第１の実施形態を示す機能ブロック図である。
【図２】本発明による単語登録装置における第１の実施形態の処理手順を示すフローチャートである。
【図３】第１の実施形態における単語データのデータ構造及びその例を示す図である。
【図４】本発明による単語登録装置の第２の実施形態を示す機能ブロック図である。
【図５】本発明による単語登録装置における第２の実施形態の処理手順を示すフローチャートである。
【図６】第２の実施形態における単語データのデータ構造及びその例を示す図である。
【図７】本発明による単語登録装置の第３の実施形態を示す機能ブロック図である。
【図８】本発明による単語登録装置における第３の実施形態の処理手順を示すフローチャートである。
【符号の説明】
【００６２】
１１  アンテナ
１２  チューナー
１３  番組表記録部
１４  辞書部
１５  内蔵辞書
１６  ユーザー辞書
１８  表示部
１９  操作部
２０  制御部
２１  辞書制御部
２２  単語抽出手段
２３  一時記録手段
２４  読み解析手段
２５  表示制御手段
２６  操作制御手段
【図１】
2006338588.tif 000003
【図２】
2006338588.tif 000004
【図３】
2006338588.tif 000005
【図４】
2006338588.tif 000006
【図５】
2006338588.tif 000007
【図６】
2006338588.tif 000008
【図７】
2006338588.tif 000009
【図８】
2006338588.tif 000010